(57)【要約】【課題】吸収性能を確保しながら、フィット性を改善することが可能なパンツ型おむつを提供する。【解決手段】パンツ型おむつは、腹側部２と、背側部３と、前記腹側部と前記背側部との間に位置し、吸収体１４を含む吸収性本体１０と、を備える。吸収体は、高吸水性ポリマーを含み、長手方向に沿って並んだ、背側領域ＢＡと、腹側領域ＦＡと、股間領域ＭＡと、を備える。背側領域は、背側部と厚さ方向に重なる。腹側領域は、腹側部と厚さ方向に重なる。股間領域は、背側領域と腹側領域との間に位置する。背側領域及び腹側領域の少なくとも一方は、股間領域よりも記高吸水性ポリマーの坪量が低い低坪量域を含む。【選択図】図１
2020108749.tif 000002
【特許請求の範囲】
【請求項１】
互いに直交する長手方向、幅方向及び厚さ方向を有し、腹側部と、背側部と、前記腹側部と前記背側部との間に位置し、吸収体を含む吸収性本体と、を備えるパンツ型おむつであって、
前記吸収体は、
高吸水性ポリマーを含み、
前記長手方向に沿って並んだ、背側領域と、腹側領域と、股間領域と、を備え、
前記背側領域は、前記背側部と前記厚さ方向に重なり、
前記腹側領域は、前記腹側部と前記厚さ方向に重なり、
前記股間領域は、前記背側領域と前記腹側領域との間に位置し、
前記背側領域及び前記腹側領域の少なくとも一方は、前記股間領域よりも前記高吸水性ポリマーの坪量が低い低坪量域を含む、
パンツ型おむつ。
【請求項２】
前記背側領域は、
前記低坪量域としての背側低坪量域と、
前記長手方向において、前記股間領域と前記背側低坪量域と間に位置し、前記高吸水性ポリマーの坪量が前記股間領域と同等の背側高坪量域と、
を有する、
請求項１に記載のパンツ型おむつ。
【請求項３】
前記背側領域は、
前記長手方向において、前記背側低坪量域を挟んで前記背側高坪量域とは反対側に隣接し、前記高吸水性ポリマーを含まない背側非配置域、を有する、
請求項２に記載のパンツ型おむつ。
【請求項４】
前記長手方向において、前記背側高坪量域の長さをａとし、前記背側低坪量域の長さをｂとし、前記背側非配置域の長さをｃとすると、前記ｂ＞前記ｃ＞前記ａ、である、
請求項３に記載のパンツ型おむつ。
【請求項５】
前記腹側領域は、前記長手方向における前側の端部に、前記高吸水性ポリマーの坪量が前記背側非配置域と同等の腹側非配置域を有し、
前記長手方向において、前記腹側非配置域の長さは、前記背側非配置域の長さよりも短い、
請求項３又は４に記載のパンツ型おむつ。
【請求項６】
前記腹側領域は、
前記低坪量域を有さず、
前記長手方向において前記股間領域に隣接し、前記高吸水性ポリマーの坪量が前記股間領域と同等の腹側高坪量域を有する、
請求項２乃至５のいずれか一項に記載のパンツ型おむつ。
【請求項７】
前記腹側高坪量域の前記高吸水性ポリマーの使用量は、前記背側高坪量域の前記高吸水性ポリマーの使用量と前記背側低坪量域の前記高吸水性ポリマーの使用量との合計よりも多い、
請求項６に記載のパンツ型おむつ。
【請求項８】
前記長手方向における、前記背側高坪量域と前記背側低坪量域とを合わせた長さは、前記腹側高坪量域の長さよりも長い、
請求項６又は７に記載のパンツ型おむつ。
【請求項９】
前記背側部及び前記腹側部の各々は、
前記幅方向の中央部に位置し、前記長手方向の内側の端縁から外側に延び、前記幅方向の伸縮性が低い低伸縮域と、
前記低伸縮域の前記幅方向の両側に隣接し、前記幅方向の伸縮性が高い一対の高伸縮域と、
を有し、
前記背側部の前記低伸縮域は、平面視で、前記背側低坪量域及び前記背側高坪量域と重なり、
前記腹側部の前記低伸縮域は、平面視で、前記腹側高坪量域と重なる、
請求項６乃至８のいずれか一項に記載のパンツ型おむつ。
【請求項１０】
前記背側部及び前記腹側部の各々は、
前記一対の高伸縮域及び前記低伸縮域の前記長手方向の外側に隣接し、前記幅方向に高い伸縮性を示す他の高伸縮域を更に有し、
前記背側部の前記他の高伸縮域は、前記吸収体における前記背側低坪量域よりも前記長手方向の外側の領域と重なり、
前記腹側部の前記他の高伸縮域は、前記吸収体における前記腹側高坪量域よりも前記長手方向の外側の領域と重なる、
請求項９に記載のパンツ型おむつ。
【請求項１１】
前記吸収体は、
前記高吸水性ポリマーを含む第１吸収層と、
前記第１吸収層の前記厚さ方向の一方側に位置し、前記高吸水性ポリマーを含む第２吸収層と、
を更に備え、
前記第２吸収層は、平面視で、前記長手方向の両端部の少なくとも一方の端部に、前記第１吸収層の端縁よりも外側に突出した突出部を含み、
前記突出部は、前記低坪量域を含む、
請求項１乃至１０のいずれか一項に記載のパンツ型おむつ。
【請求項１２】
前記第２吸収層は、前記第１吸収層の非肌側に位置し、
前記吸収体は、前記第１吸収層と前記第２吸収層との間に位置し、不織布で形成された中間層を更に備え、
前記低坪量域の肌側の面は前記中間層で覆われている、
請求項１１に記載のパンツ型おむつ。
【請求項１３】
前記背側部と、前記背側領域との間に位置するプリントフィルムを更に備え、
前記背側領域は、前記股間領域よりも前記高吸水性ポリマーの坪量が低い背側低坪量域を含む、
請求項１乃至１２のいずれか一項に記載のパンツ型おむつ。
【発明の詳細な説明】
【技術分野】
【０００１】
本発明は、パンツ型おむつに関する。
【背景技術】
【０００２】
吸収性材料として高吸水性ポリマー（Ｓｕｐｅｒ  Ａｂｓｏｒｂｅｎｔ  Ｐｏｌｙｍｅｒ；ＳＡＰ）を相対的に多く含む吸収体を用いた吸収性物品が知られている。高吸水性ポリマーを相対的に多く含む吸収体（いわゆるＳＡＰシート）は、厚さが薄いので、装着性やフィット性などを向上することができ、好ましい吸収体といえる。そのような吸収体として、例えば、特許文献１に、吸収性材料を含む吸収性コアが開示されている。その吸収性コアは、吸収性物品に用いられ、吸収性材料がセルロース繊維を実質的に含まず、別個の吸収性材料領域のパターンを形成する。そのパターンは、ドット形成領域と、幅方向に延びる領域及び長手方向に延びる領域の少なくとも一つと、を含んでいる。
【先行技術文献】
【特許文献】
【０００３】
【特許文献１】特表２０１７−５１６５４２号公報
【発明の概要】
【発明が解決しようとする課題】
【０００４】
高吸水性ポリマーを相対的に多く含む吸収体をパンツ型おむつに適用するとき、高吸水性ポリマーを平面状に概ね一様に配置した吸収体を用いる場合が考えられる。その場合、吸収体の股間領域には、排泄された液体（例示：尿）を漏らさないような所定坪量の高吸水性ポリマーが配置される。それに対応して、吸収体における股間領域以外の領域、すなわち腹側領域及び背側領域についても、その所定坪量の高吸水性ポリマーが配置されることになる。
【０００５】
ここで、パンツ型おむつでは、吸収体の背側領域及び腹側領域は、パンツ型おむつの背側部及び腹側部により装着者の肌に密着される。そのとき、背側領域及び腹側領域が股間領域と同等の高吸水性ポリマーの所定坪量であると、すなわち同等の厚さであると、厚過ぎて背側及び腹側の肌面に食い込み易くなる。そうなると、装着者が装着時に吸収体に違和感を覚え易く、よってフィット性が低下するおそれがある。そうかといって、吸収体を全体に薄くすると、少なくとも股間領域の吸収性能が低下し易くなる。そうなると、幅方向の端部や長手方向の端部から液体が漏れるなどの事象が生じるおそれがある。このように、パンツ型おむつでは、フィット性を改善しつつ、吸収性能を確保するためには、高吸水性ポリマーによる吸収体の厚さについては改善の余地がある。
【０００６】
特許文献１の吸収性コアは、装着快適性の改善などのため、平面視で、複数の領域に分割されている。すなわち、この吸収性コアでは、高吸水性ポリマーの平面内での配置を変化させている。しかし、高吸水性ポリマーの厚さ方向での配置は特に変化させていない。
【０００７】
本発明の目的は、高吸水性ポリマーを含むパンツ型おむつにおいて、吸収性能を確保しながら、フィット性を改善することが可能なパンツ型おむつを提供することにある。
【課題を解決するための手段】
【０００８】
本発明のパンツ型おむつは次のとおりである。（１）互いに直交する長手方向、幅方向及び厚さ方向を有し、腹側部と、背側部と、前記腹側部と前記背側部との間に位置し、吸収体を含む吸収性本体と、を備えるパンツ型おむつであって、前記吸収体は、高吸水性ポリマーを含み、前記長手方向に沿って並んだ、背側領域と、腹側領域と、股間領域と、を備え、前記背側領域は、前記背側部と前記厚さ方向に重なり、前記腹側領域は、前記腹側部と前記厚さ方向に重なり、前記股間領域は、前記背側領域と前記腹側領域との間に位置し、前記背側領域及び前記腹側領域の少なくとも一方は、前記股間領域よりも前記高吸水性ポリマーの坪量が低い低坪量域を含む、パンツ型おむつ。
【０００９】
本パンツ型おむつでは、吸収体において、股間領域の高吸水性ポリマーの坪量が相対的に高く、背側領域及び腹側領域の少なくとも一方の低坪量域の吸水性ポリマーの坪量が相対的に低い。したがって、液体の吸収が必要な股間領域には高吸水性ポリマーが相対的に多く配置されているので、吸収体が吸収性能を確保して液体（例示：尿）を漏らすことなく確実に吸収することができる。一方、液体の吸収がそれほど必要でない腹側領域及び背側領域の少なくとも一方の低坪量域には高吸水性ポリマーを少なく配置することで、当該領域を薄くすることができる。そのため、当該領域に対応する腹側部又は背側部が装着者の肌面に密着されるとき、吸収体を肌面に食い込み難くできる。それにより、装着者が吸収体に違和感を覚え難くなり、フィット性を改善することができる。したがって、高吸水性ポリマーを含むパンツ型おむつにおいて、吸収性能を確保しながら、フィット性を改善することが可能となる。
【００１０】
本発明のパンツ型おむつは、（２）前記背側領域は、前記低坪量域としての背側低坪量域と、前記長手方向において、前記股間領域と前記背側低坪量域と間に位置し、前記高吸水性ポリマーの坪量が前記股間領域と同等の背側高坪量域と、を有する、上記（１）に記載のパンツ型おむつ、でもよい。
本パンツ型おむつでは、股間領域と背側低坪量域との間に、高吸水性ポリマーの坪量が相対的に高い背側高坪量域を有する。それゆえ、背側低坪量域へ液体が到達する前に、背側高坪量域でより多くの液体を補足し易くできる。それにより、高吸水性ポリマーの坪量の低い背側低坪量域へ移行・拡散する液体を低減でき、パンツ型おむつ１の長手方向の背側の端部からの液体の漏れを抑制でき、吸収性能をより確実に確保することができる。
【００１１】
本発明のパンツ型おむつは、（３）前記背側領域は、前記長手方向において、前記背側低坪量域を挟んで前記背側高坪量域とは反対側に隣接し、前記高吸水性ポリマーを含まない背側非配置域、を有する、上記（２）に記載のパンツ型おむつ、でもよい。
本パンツ型おむつでは、背側低坪量域よりも長手方向の外側に、高吸水性ポリマーを含まない（坪量ゼロだけでなく背側高坪量域の坪量の５％以下の場合を含む）背側非配置域を有する。すなわち、背側非配置域に高吸水性ポリマーをより少なく配置することで、背側非配置域を薄くできるので、背側非配置域に対応する位置の背側部が装着者の肌面により密着でき、吸収体（の背側非配置域）が肌面に食い込むことを難くできる。更に、液体の吸収にほとんど寄与しない高吸水性ポリマーを削減できる。それにより、吸収性能を確保しつつ、フィット性をより改善することができると共に、高吸水性ポリマーを効率的に使用できる。
【００１２】
本発明のパンツ型おむつは、（４）前記長手方向において、前記背側高坪量域の長さをａとし、前記背側低坪量域の長さをｂとし、前記背側非配置域の長さをｃとすると、前記ｂ＞前記ｃ＞前記ａ、である、上記（３）に記載のパンツ型おむつ、でもよい。
本パンツ型おむつでは、長手方向において、背側高坪量域、すなわち厚さが最も厚い領域の長さ（ａ）を最も短くすることで、背側部が肌面に密着したときの肌面への食い込みを狭い範囲に抑えることができる。それにより、装着者が装着時に違和感をより覚え難くできる。また、背側低坪量域、すなわち厚さが中間の領域の長さ（ｂ）を最も長くすることで、液体をより確実に補足し易くできると共に、肌面への食い込みをより少なく抑えることができる。それにより、吸収性能をより確実に確保しつつ、フィット性をより改善できる。
【００１３】
本発明のパンツ型おむつは、（５）前記腹側領域は、前記長手方向における前側の端部に、前記高吸水性ポリマーの坪量が前記背側非配置域と同等の腹側非配置域を有し、前記長手方向において、前記腹側非配置域の長さは、前記背側非配置域の長さよりも短い、上記（３）又は（４）に記載のパンツ型おむつ、であってもよい。
本パンツ型おむつでは、長手方向において、腹側領域における高吸水性ポリマーの坪量が相対的に低い腹側非配置域の長さを、背側領域における高吸水性ポリマーの坪量が相対的に低い背側非配置域の長さよりも短くしている。それにより、背側よりも液体の拡散が多い腹側において、液体を吸収可能な容量を多く確保できる。それにより、吸収性能を確保して液体を漏らすことなく確実に吸収することができる。
【００１４】
本発明のパンツ型おむつは、（６）前記腹側領域は、前記低坪量域を有さず、前記長手方向において前記股間領域に隣接し、前記高吸水性ポリマーの坪量が前記股間領域と同等の腹側高坪量域を有する、上記（２）乃至（５）のいずれか一項に記載のパンツ型おむつ、であってもよい。
本パンツ型おむつでは、腹側領域において、高吸水性ポリマーの坪量が低い低坪量域を有さず、高吸水性ポリマーの坪量が高い腹側高坪量域を有するようにしている。それにより、背側よりも液体の拡散が多い腹側において、液体を吸収可能な容量を多く確保できる。それゆえ、吸収性能を確保して液体を漏らすことなく確実に吸収することができる。
【００１５】
本発明のパンツ型おむつは（７）前記腹側高坪量域の前記高吸水性ポリマーの使用量は、前記背側高坪量域の前記高吸水性ポリマーの使用量と前記背側低坪量域の前記高吸水性ポリマーの使用量との合計よりも多い、上記（６）に記載のパンツ型おむつ、でもよい。
本パンツ型おむつでは、腹側高坪量域が、背側高坪量域と背側低坪量域とを合わせた領域よりも、高吸水性ポリマーの坪量が多い。そのため、背側よりも液体の拡散が多い腹側において、液体を吸収可能な容量を多く確保できる。それゆえ、吸収性能を確保して液体を漏らすことなく確実に吸収することができる。
【００１６】
本発明のパンツ型おむつは、（８）前記長手方向における、前記背側高坪量域と前記背側低坪量域とを合わせた長さは、前記腹側高坪量域の長さよりも長い、上記（６）又は（７）に記載のパンツ型おむつ、であってもよい。
本パンツ型おむつでは、背側高坪量域と背側低坪量域とを合わせた長さが腹側高坪量域の長さよりも長い。そのため、腹側よりも液体の伝い漏れの生じ易い背側において、液体を補足可能な領域を背側に長く確保することができる。それゆえ、吸収性能を広範囲に拡張して液体を漏らすことなく確実に吸収することができる。
【００１７】
本発明のパンツ型おむつは、（９）前記背側部及び前記腹側部の各々は、前記幅方向の中央部に位置し、前記長手方向の内側の端縁から外側に延び、前記幅方向の伸縮性が低い低伸縮域と、前記低伸縮域の前記幅方向の両側に隣接し、前記幅方向の伸縮性が高い一対の高伸縮域と、を有し、前記背側部の前記低伸縮域は、平面視で、前記背側低坪量域及び前記背側高坪量域と重なり、前記腹側部の前記低伸縮域は、平面視で、前記腹側高坪量域と重なる、上記（６）乃至（８）のいずれか一項に記載のパンツ型おむつ、でもよい。
本パンツ型おむつでは、背側部の低伸縮域が、背側低坪量域及び背側高坪量域と重なり、腹側部の低伸縮域が、腹側高坪量域と重なる。それにより、それら各高坪量域や低坪量域が幅方向に収縮されることを抑制できるので、吸収体が収縮することによる吸収性能の低下を抑制できる。
【００１８】
本発明のパンツ型おむつは、（１０）前記背側部及び前記腹側部の各々は、前記一対の高伸縮域及び前記低伸縮域の前記長手方向の外側に隣接し、前記幅方向に高い伸縮性を示す他の高伸縮域を更に有し、前記背側部の前記他の高伸縮域は、前記吸収体における前記背側低坪量域よりも前記長手方向の外側の領域と重なり、前記腹側部の前記他の高伸縮域は、前記吸収体における前記腹側高坪量域よりも前記長手方向の外側の領域と重なる、上記（９）に記載のパンツ型おむつ、でもよい。
本パンツ型おむつでは、背側部の他の高伸縮域が、吸収体における背側低坪量域よりも長手方向の外側の領域と重なり、腹側部の他の高伸縮域が、吸収体における腹側高坪量域よりも長手方向の外側の領域と重なる。それにより、他の高伸縮域の収縮により、背側部及び腹側部の各々における吸収体の高／低坪量域よりも長手方向の外側の部分をより幅方向に引っ張って、当該部分をより肌側に押し付けることができる。それにより、吸収体を長手方向の両端部において肌面によりフィットさせることができる。
【００１９】
本発明のパンツ型おむつは、（１１）前記吸収体は、前記高吸水性ポリマーを含む第１吸収層と、前記第１吸収層の前記厚さ方向の一方側に位置し、前記高吸水性ポリマーを含む第２吸収層と、を更に備え、前記第２吸収層は、平面視で、前記長手方向の両端部の少なくとも一方の端部に、前記第１吸収層の端縁よりも外側に突出した突出部を含み、前記突出部は、前記低坪量域を含む、上記（１）乃至（１０）のいずれか一項に記載のパンツ型おむつ、でもよい。
本パンツ型おむつでは、吸収体が第１吸収層と第２吸収層とが積層された二層構造を有し、低坪量域が、平面視で、第２吸収層の端部のうちの第１吸収層の端縁よりも外側に突出した突出部に含まれる。そのため、低坪量域の厚さを確実に薄くすることができる。それにより、低坪量域に対応する腹側部又は背側部が装着者の肌面に密着されるとき、低坪量部を肌面に食い込み難くできる。それにより、装着者が違和感を覚え難くなり、フィット性を改善することができる。
【００２０】
本発明のパンツ型おむつは、（１２）前記第２吸収層は、前記第１吸収層の非肌側に位置し、前記吸収体は、前記第１吸収層と前記第２吸収層との間に位置し、不織布で形成された中間層を更に備え、前記低坪量域の肌側の面は前記中間層で覆われている、上記（１１）に記載のパンツ型おむつ、でもよい。
本パンツ型おむつでは、第２吸収層の肌側に、不織布の中間層を備え、低坪量域の肌側の面は不織布（中間層）で覆われている。そのため、背側部が肌面に密着したとき、吸収体の低坪量域が肌面へ押し付けられても、低坪量域の肌側の面が不織布で覆われているので、高吸水性ポリマーによる凹凸を感じず、装着時の違和感を覚え難くすることができる。それにより、フィット性の低下を抑制することができる。
【００２１】
本発明のパンツ型おむつは、（１３）前記背側部と、前記背側領域との間に位置するプリントフィルムを更に備え、前記背側領域は、前記股間領域よりも前記高吸水性ポリマーの坪量が低い背側低坪量域を含む、上記（１）乃至（１２）のいずれか一項に記載のパンツ型おむつ、でもよい。
本パンツ型おむつでは、背側低坪量部を有する、したがって相対的に薄い背側領域と背側部との間にプリントフィルムが配置されている。そのため、装着時に背側部と肌面との間に挟持されるもの（背側領域＋プリントフィルム）全体の厚さを薄くすることができる。それにより、背側部が肌面に密着したとき、プリントフィルムの厚さが感じられず、装着時の違和感を覚え難くすることができ、フィット性の低下を抑制することができる。
【発明の効果】
【００２２】
本発明によれば、高吸水性ポリマーを含むパンツ型おむつにおいて、吸収性能を確保しながら、フィット性を改善することが可能なパンツ型おむつを提供することができる。
【図面の簡単な説明】
【００２３】
【図１】実施形態に係るパンツ型おむつの構成例を示す平面図である。
【図２】図１のＩＩ−ＩＩ線に沿う断面図である。
【図３】実施形態に係る吸収体の構成例を示す平面図及び断面図である。
【図４】実施形態に係るパンツ型おむつの背側部の一部を拡大した平面図である。
【図５】実施形態に係るパンツ型おむつの腹側部の一部を拡大した平面図である。
【発明を実施するための形態】
【００２４】
以下、実施形態に係るパンツ型の使い捨ておむつ（以下、単に「パンツ型おむつ」ともいう。）について説明する。ただし、パンツ型おむつの種類はこの例に限定されるものではなく、本発明の趣旨の範囲を逸脱しない限り、他の種類のパンツ型おむつでもよい。そのようなパンツ型おむつとして、例えば、３ピースのおむつが挙げられる。
【００２５】
図１及び図２は実施形態に係るパンツ型おむつ１の構成例を示す図である。図１はパンツ型おむつ１を展開した状態を示す平面図であり、図２は図１のＩＩ−ＩＩ線に沿った断面図である。パンツ型おむつ１は、図１に示す状態において、互いに直交する長手方向Ｌ、幅方向Ｗ及び厚さ方向Ｔを有し、幅方向Ｗの中心を通り長手方向Ｌに延びる長手方向中心線ＣＬと、長手方向Ｌの中心を通り幅方向Ｗに延びる幅方向中心線ＣＷとを有する。長手方向中心線ＣＬに近づく向き及び側をそれぞれ幅方向Ｗの内向き及び内側とし、遠ざかる向き及び側をそれぞれ幅方向Ｗの外向き及び外側とする。幅方向中心線ＣＷに近づく向き及び側をそれぞれ長手方向Ｌの内向き及び内側とし、遠ざかる向き及び側をそれぞれ長手方向Ｌの外向き及び外側とする。また、長手方向Ｌにおける、装着者の腹部に対応するパンツ型おむつ１の端縁（腹側の端縁）に向かう側を長手方向Ｌの前側ともいい、装着者の背中に対応するパンツ型おむつ１の端縁（背側の端縁）に向かう側を長手方向Ｌの後側ともいう。「平面視」とは長手方向Ｌ及び幅方向Ｗを含む平面に展開した状態のパンツ型おむつ１を厚さ方向Ｔの上方側から見ることをいい、「平面形状」とは平面視で把握される形状をいう。「平面方向」とは幅方向Ｗ及び長手方向Ｌを含む面と平行な任意の方向である。「肌側」及び「非肌側」とはパンツ型おむつ１が装着者に装着されたときに、厚さ方向Ｔにおいて相対的に装着者の肌面に近くなる側及び遠くなる側をそれぞれ意味する。これら定義はパンツ型おむつ１だけでなく、パンツ型おむつ１の吸収体やそれらに配置された各資材にも共通に用いる。
【００２６】
なお、部材や構造や形状などが長手方向Ｌに沿うとは、部材等が長手方向Ｌに平行な場合だけでなく、部材等の長手方向Ｌの成分Ｄｘが、部材等の幅方向Ｗの成分Ｄｙよりも大きい場合（Ｄｘ＞Ｄｙ）も含んでいる。同様に、部材等が幅方向Ｗに沿うとは、部材等が幅方向Ｗに平行な場合だけでなく、部材等の幅方向Ｗの成分Ｄｙが、部材等の長手方向Ｌの成分Ｄｘよりも大きい場合（Ｄｙ＞Ｄｘ）も含んでいる。曲線状や曲面状の部材等に関しては、曲線等上の各点の接線について、部材等を上記のように評価する。
【００２７】
図１に示すように、パンツ型おむつ１は、長手方向Ｌにおいて、腹側部（腹側ウエストベルト）２と、背側部（背側ウエストベルト）３と、腹側部２と背側部３との間に位置する吸収性本体１０と、を備える。本実施形態では、パンツ型おむつ１は、腹側部２と背側部３との間に位置する股間部４を更に備える。腹側部２は、装着者の腹部に当接する部分である。背側部３は、装着者の尻部又は背部に当接する部分である。吸収性本体１０は装着者の股間に当接する部分であり、長手方向Ｌの一端部が腹側部２に、他端部が背側部３にそれぞれ積層される。股間部４は、吸収性本体１０を非肌側から支持する部分である。腹側部２の幅方向Ｗの両端部２ａ、２ａと、背側部３の幅方向Ｗの両端部３ａ、３ａとが、それぞれ厚さ方向Ｔに重なり、長手方向Ｌに沿って接合されることで、パンツ型おむつ１が形成される。この場合、パンツ型おむつ１では、腹側部２における長手方向Ｌの外側の端部２ｅと背側部３における長手方向Ｌの外側の端部３ｅとにより装着者の腰が通るウエスト開口部が画定される。また、パンツ型おむつ１では、股間部４における幅方向Ｗの両側の側部５ｅ、５ｅにより装着者の脚が通る一対のレッグ開口部が画定される。なお、腹側部（腹側ウエストベルト）２及び背側部（背側ウエストベルト）３は、両端部２ａ、２ａと両端部３ａ、３ａとが接合する長手方向Ｌの範囲で画定される部分といえる。
【００２８】
本実施形態では、図１に示す状態で、腹側部２及び背側部３はそれぞれ概ね幅方向Ｗに拡がる矩形形状を有し、長手方向Ｌに互いに離間している。股間部４は、腹側部２と背側部３との間に位置し、幅方向Ｗの両側縁が幅方向Ｗの内向きに窪んでいる。腹側部２、股間部４及び背側部３は互いに一体的に形成される。別の実施形態では、腹側部２、股間部４及び背側部３は互いに別個に形成される。更に、別の実施形態（図示されず）では、パンツ型おむつ１は、腹側部２及び背側部３を備え、股間部４を備えない。
【００２９】
本実施形態では、腹側部２、背側部３及び股間部４は、液不透過性のカバーシート（シート部材）５を備える。カバーシート５は、肌側に位置するカバーシート５ａと非肌側に位置するカバーシート５ｂとを含む。カバーシート５ａとカバーシート５ｂとは厚さ方向Ｔに積層され、接着剤等で互いに接合される。カバーシート５ｂの長手方向Ｌの両端部は、カバーシート５ａの長手方向Ｌの両端部を覆うように、肌側に折り返される。その場合、腹側部２及び背側部３における折り返しの位置のカバーシート５ｂが、それぞれ腹側部２の端部２ｅ及び背側部３の端部３ｅを構成する。
【００３０】
カバーシート５としては、例えば液不透過性の不織布や合成樹脂フィルム、これらの複合シート、ＳＢ不織布、ＳＭＳ不織布など、任意の液不透過性シートが挙げられる。カバーシート５の材料としては、例えばポリプロピレンやポリエチレンなどのポリオレフィン系材料が挙げられる。カバーシート５の坪量は、例えば５〜１００ｇ／ｍ２であり、好ましくは１０〜５０ｇ／ｍ２である。カバーシート５の厚さ方向Ｔの寸法（厚さ）としては、例えば０．１〜５ｍｍであり、好ましくは０．１〜２ｍｍである。別の実施形態ではカバーシート５は一枚、又は、三枚以上である（図示されず）。更に別の実施形態ではカバーシート５ｂは折り返されていない（図示されず）。
【００３１】
本実施形態では、腹側部２及び背側部３は、カバーシート５ａとカバーシート５ｂとの間に、それぞれウェストギャザー用の複数の弾性部材６ａ、６ｂ及び複数の弾性部材７ａ、７ｂを備える。複数の弾性部材６ａ、６ｂは、それぞれ腹側部２の長手方向Ｌの外側及び内側に配置される。複数の弾性部材６ａは、長手方向中心線ＣＬを挟んで両側のそれぞれの所定領域において、幅方向Ｗに沿って、長手方向Ｌに互いに間隔を空けて配置される。所定領域は、端部２ａから吸収性本体１０における端部２ａに対向する幅方向Ｗの端縁の内側の部分までの領域である。複数の弾性部材６ｂは、幅方向Ｗに沿って、一方の端部２ａから他方の端部２ａまで延びており、長手方向Ｌに互いに間隔を空けて配置される。同様に、複数の弾性部材７ａ、７ｂは、それぞれ背側部３の長手方向Ｌの外側及び内側に配置される。複数の弾性部材７ａは、長手方向中心線ＣＬを挟んで両側のそれぞれの所定領域において、幅方向Ｗに沿って、長手方向Ｌに互いに間隔を空けて配置される。所定領域は、端部３ａから吸収性本体１０における端部３ａに対向する幅方向Ｗの端縁の内側の部分までの領域である。複数の弾性部材７ｂは、幅方向Ｗに沿って、一方の端部３ａから他方の端部３ａまで延びており、長手方向Ｌに互いに間隔を空けて配置される。複数の弾性部材６ａ、６ｂ、７ａ、７ｂは、ウエスト開口部を伸縮させるものであり、糸ゴムに例示される。腹側部（腹側ウエストベルト）２及び背側部（背側ウエストベルト）３は、複数の弾性部材６ａ、６ｂ、７ａ、７ｂが配置された長手方向Ｌの範囲で画定される部分ともいえる。
【００３２】
本実施形態では、パンツ型おむつ１は、股間部４から背側部３及び腹側部２にレッグギャザー用の複数の弾性部材８を備える。複数の弾性部材８は、主に股間部４における幅方向Ｗの両端部を長手方向Ｌに沿って延設されている。複数の弾性部材８は、一対のレッグ開口部をそれぞれ伸縮させるものであり、糸ゴムに例示される。
【００３３】
本実施形態では、吸収性本体１０は、略矩形の形状を有し、液透過性の表面シート１２と、液不透過性の裏面シート１３と、表面シート１２と裏面シート１３との間に位置し、液を吸収・保持する吸収体１４と、を含む。表面シート１２として、例えば液透過性の不織布や織布、液透過孔が形成された合成樹脂フィルム、これらの複合シートなどが挙げられる。裏面シート１３として、例えば液不透過性の不織布や合成樹脂フィルム、これらの複合シート、ＳＭＳ不織布などが挙げられる。吸収体１４は、本実施形態では液を吸収し保持する吸収コアと吸収コアを内包するコアラップとを含む。吸収体１４の詳細は後述される。吸収体１４と表面シート１２及び裏面シート１３とはそれぞれ接着剤により接合され、表面シート１２と裏面シート１３とはそれらの周縁部分において接着剤により接合される。接着剤はパンツ型おむつで公知の材料、例えばホットメルト接着剤が挙げられる。吸収性本体１０の形状は、長手方向Ｌに長い形状ならば上記例に限定されず、例えば角が丸い矩形や、短辺が外側に凸曲線の矩形や砂時計型が挙げられる。また、別の実施形態では、裏面シート１３が省略され、吸収体１４の非肌側の面及び表面シート１２の周縁部分の非肌側の面がカバーシート５に接合される。
【００３４】
本実施形態では、吸収性本体１０は、肌側の表面において、幅方向Ｗの両側に位置し、長手方向Ｌに延びる一対のサイドシート１７、１７を含む。各サイドシート１７は、防漏壁１６と、固定領域１５、１５とを有する。固定領域１５、１５は、サイドシート１７における長手方向Ｌの前側及び後側の端部に位置し、吸収性本体１０の肌側の表面に固定される。防漏壁１６は、サイドシート１７における長手方向Ｌの前側及び後側の固定領域１５、１５の間に位置し、それらに隣接しており、吸収性本体１０の肌側の表面に幅方向Ｗの外側の端縁を固定され、幅方向Ｗの内側の端縁を非固定とされている。この場合、防漏壁１６及び固定領域１５、１５は、例えばサイドシート１７の幅方向Ｗの内側の部分で形成され、サイドシート１７の幅方向Ｗの外側の部分は吸収性本体１０に固定される。このように、吸収性本体１０は、一対の防漏壁１６、１６を備える。一対の防漏壁１６、１６は、吸収性本体１０における肌側の幅方向Ｗの両端部に、互いに向かい合うように配置され、長手方向Ｌに沿って連続的に延在する。各防漏壁１６は、幅方向Ｗの内側の端部に、長手方向Ｌに沿って延びる二本の弾性部材６１を含む。弾性部材６１は糸ゴムに例示される。別の実施形態では、一対の防漏壁１６、１６の各々は、幅方向Ｗの内側の端部を、更に幅方向Ｗの外側へ折り返される。別の実施形態では弾性部材６１は一本、又は、三本以上である。一対の防漏壁１６、１６の各々は疎水性シート、例えば疎水性不織布で形成される。別の実施形態では、親水性シート、例えば親水性不織布で形成される。
【００３５】
次に、図１〜図３を参照して、吸収体１４について説明する。ただし、図３は実施形態に係る吸収体１４の構成例を示す図であり、（ａ）は平面図であり、（ｂ）は（ａ）におけるＩＩＩｂ−ＩＩＩｂ線に沿った断面図である。吸収体１４は、液吸収性能及び液保持性能を有する層であり、本実施形態では、肌側に位置する第１吸収層４１と、非肌側に位置する第２吸収層４２と、第１吸収層４１と第２吸収層４２との間に位置する中間層４３と、を備える。吸収体１４は、第１吸収層４１と中間層４３と第２吸収層４２とが厚さ方向Ｔにこの順に積層された二層構造を有する。なお、別の実施形態では、吸収体１４は、中間層４３が存在せず、第１吸収層４１と第２吸収層４２とが厚さ方向に一体化した一層構造を有する。更に別の実施形態では、吸収体１４は、第１吸収層４１と第２吸収層４２との間に他の中間層及び他の吸収層を更に積層した三層以上の多層構造である。別の実施形態では、第１吸収層４１は肌側に位置し、第２吸収層４２は非肌側に位置する。
【００３６】
本実施形態では、吸収体１４は、長手方向Ｌに延びる略矩形の平面形状を有する。吸収体１４は、吸収コアとして第１吸水材４５及び第２吸水材４７を有し、コアラップとして第１基材４４及び第２基材４６を有すると見ることができる。ただし、その形状は特に限定されるものではなく、例えば、短辺が円弧状に突出した長方形、角丸長方形、楕円、砂時計が挙げられる。吸収体１４の厚さは、例えば０．５〜２０ｍｍが挙げられ、好ましくは１〜１０ｍｍである。吸収体１４の坪量は、パンツ型おむつ１に要求される吸収性能に応じて適宜調整され得るが、例えば６０〜１６００ｇ／ｍ２が挙げられる。
【００３７】
本実施形態では、第１吸収層４１は、液透過性を有するシートで形成された第１基材４４と、第１基材４４よりも中間層４３側に配置され、吸水性ポリマーを含む吸水材を有する第１吸水材４５と、を含む。第１吸収層４１は、吸収コアとして第１吸水材４５を有し、コアラップとして第１基材４４（及び中間層４３）を有すると見ることができる。なお、別の実施形態では、コアラップとして、第１基材４４（及び中間層４３）とは別に、それらの内側に第１吸水材４５を包み込む、例えばティッシュ製のコアラップシートを有する。第１吸水材４５は、第１基材４４の中間層４３側の表面及び中間層４３の第１基材４４側の表面の少なくとも一方に塗布された接着剤により、第１基材４４及び中間層４３の少なくとも一方に固定される。第１吸水材４５の吸水材は、第１吸収層４１内に概ね均一の坪量で配置される。ただし、長手方向Ｌ及び／幅方向Ｗの端部の坪量は端縁に向かって緩やかに減少してもよい。この場合、端部は例えば長手方向Ｌ及び／幅方向Ｗの両端における、長手方向Ｌ及び／幅方向Ｗの最大寸法の１０％以内の領域である。別の実施形態では、第１吸水材４５の吸水材は、第１吸収層４１内に坪量の多い箇所と少ない箇所を有する所定の分布で配置される。第１吸水材４５は、略矩形の平面形状を有する。第１基材４４は、略矩形の平面形状を有し、平面視で第１吸水材４５を肌側から覆っており、第１基材４４の周縁部分は第１吸水材４５の周囲からやや外側に延在する。第１吸収層４１の平面方向の外寸（外縁）は、例えば第１吸水材４５の平面方向の外寸（外縁）とする。その外寸（外縁）は、例えば第１吸水材４５の厚さ方向Ｔの半分の位置で測定される。
【００３８】
本実施形態では、第２吸収層４２は、保水性及び液拡散性を有するシートで形成された第２基材４６と、第２基材４６よりも中間層４３側に配置され、吸水性ポリマーを含む吸水材を有する第２吸水材４７と、を含む。第２吸収層４２は、吸収コアとして第２吸水材４７を有し、コアラップとして第２基材４６（及び中間層４３）を有すると見ることができる。なお、別の実施形態では、コアラップとして、第２基材４６（及び中間層４３）とは別に、それらの内側に第２吸水材４７を包み込む、例えばティッシュ製のコアラップシートを有する。第２吸水材４７は、第２基材４６の中間層４３側の表面及び中間層４３の第２基材４６側の表面の少なくとも一方に塗布された接着剤により、第２基材４６及び中間層４３の少なくとも一方に固定される。第２吸水材４７の吸水材は、一対のチャネル４８、４８（後述）を除き、第２吸収層４２内に概ね均一の坪量で配置される。ただし、長手方向Ｌ及び／幅方向Ｗの端部の坪量は端縁に向かって緩やかに減少してもよい。この場合、端部は上記のとおりである。別の実施形態では、第２吸水材４７の吸水材は、第２吸収層４２内に坪量の多い箇所と少ない箇所を有する所定の分布で配置される。第２吸水材４７は、第１吸水材４５よりも幅方向Ｗ及び長手方向Ｌに一回り大きい略矩形の平面形状を有する。第２基材４６は、略矩形の平面形状を有し、平面視で第２吸水材４７を非肌側から覆っており、第２基材４６の周縁部分は第２吸水材４７の周囲からやや外側に延在する。そのとき、第２基材４６の幅方向Ｗの両端部は、第２吸水材４７の両側面を覆いつつ、第１基材４４の幅方向Ｗの両端部における肌側の表面を覆う。すなわち、第１吸収層４１の幅方向Ｗの端部における肌側の表面において、第２基材４６の幅方向Ｗの端部と、第１基材４４の幅方向Ｗの端部とが重ね合わされて接合される。第２吸収層４２の平面方向の外寸（外縁）は、例えば第２吸水材４７の平面方向の外寸（外縁）とする。その外寸（外縁）は、例えば第２吸水材４７の厚さ方向Ｔの半分の位置で測定される。
【００３９】
このように、第２基材４６の幅方向Ｗの両端部が、第２吸水材４７の幅方向Ｗの側面を覆い、第１基材４４の幅方向Ｗの側面を更に覆うことにより、第２吸水材４７が幅方向Ｗにおいて第２吸収層４２に封入され、第１吸水材４５が幅方向Ｗにおいて第１吸収層４１に封入される。別の実施形態では、第１基材４４の幅方向Ｗの両端部が、第２基材４６の幅方向Ｗの両端部を覆う。更に別の実施形態では、幅方向Ｗの両端部では、第１基材４４、中間層４３及び第２基材４６が厚さ方向Ｔに積層され、接合される。
【００４０】
本実施形態では、吸収体１４の長手方向Ｌの両端部では、第１基材４４、中間層４３及び第２基材４６が厚さ方向Ｔに積層され、接合される。それにより、第２吸水材４７が長手方向Ｌにおいて第１基材４４と中間層４３とにより第２吸収層４２に封入され、第１吸水材４５が長手方向Ｌにおいて第２基材４６と中間層４３とにより第２吸収層４２に封入される。別の実施形態では、吸収体１４の長手方向Ｌの両端部は第１基材４４及び第２基材４６では覆われない。
【００４１】
本実施形態では、中間層４３は、液透過性を有するシートであり、略矩形の平面形状を有する。中間層４３は、上部層４３ａと、上部層４３ａの非肌側の面における幅方向Ｗの両側に隣接する一対の下部層４３ｂ、４３ｂと、を備える。中間層４３は、略矩形の平面形状を有するシート部材において、幅方向Ｗの中央部分の両側に位置する一対の側部分を、中央部分の非肌側に折り返して重ね合わせることで形成される。そのとき、シート部材の中央部分が上部層４３ａとなり、シート部材の一対の側部分が一対の下部層４３ｂ、４３ｂとなる。したがって、中間層４３における幅方向Ｗの両側の部分は、いずれも、上部層４３ａと下部層４３ｂとが積層された二層構造となり、長手方向Ｌに延びる略矩形の形状を有する。中間層４３における幅方向Ｗの中心の近傍の部分４３ｄは、上部層４３ａのみの一層構造となり、長手方向Ｌに沿って延びる略矩形を有する。二層構造の上部層４３ａと下部層４３ｂとは、部分４３ｄの幅方向Ｗの両側で長手方向Ｌに沿って延びる一対の熱シール部４３ｃ、４３ｃにより接合される。加熱しつつ圧搾することにより熱シール部４３ｃが形成される。別の実施形態では、二層構造の上部層４３ａと下部層４３ｂとは、部分４３ｄの幅方向Ｗの両側で長手方向Ｌに沿って延びるエンボス部により接合される。圧搾によりエンボス部が形成される。また、更に別の実施形態では、熱シール部やエンボス部は複数の点や複数の曲線や模様の形状を有する。中間層４３は、幅方向Ｗの両端縁を、第１基材４４及び第２基材４６の幅方向Ｗの両端部に挟持され、長手方向Ｌの両端縁を、第１基材４４及び第２基材４６の長手方向Ｌの両端部に挟持されて、それぞれ接合される。別の実施形態では、長手方向Ｌの両端縁を、第１基材４４及び第２基材４６の長手方向Ｌの両端部に挟持されず、接合されない。二層構造にすることで液体を一時的に貯蔵でき、高吸水性ポリマーの吸収に要する時間を確保し易くできる。
【００４２】
本実施形態では、吸収体１４は、長手方向Ｌに沿って延びる一対のチャネル４８、４８を有する。一対のチャネル４８、４８は、第２吸収層４２に位置し、長手方向Ｌに延設され、長手方向中心線ＣＬを挟んで幅方向Ｗの両側に所定間隔で並んだ帯状の領域である。チャネル４８は、長手方向Ｌの少なくとも中央部に、幅方向中心線ＣＷを跨ぐように形成される。別の実施形態では、チャネル４８は、長手方向Ｌの両端縁の少なくとも一方に達するように形成される。一対のチャネル４８、４８の平面視でのパターンは、例えば両者の間隔が、長手方向Ｌに沿って一定であるように形成されたパターンである。別の実施形態では、一対のチャネル４８、４８のパターンが、例えば長手方向Ｌの中央付近において狭く、長手方向Ｌの両外側に向かうに連れて拡がるように形成されたパターンである。ここで、チャネル４８は、吸収体１４におけるチャネルの周囲の領域と比較して、吸水材の坪量が少ない領域であり、例えば、第２吸収層４２におけるチャネル４８の周囲の領域と比較して、吸水材の坪量が少ない領域であり、坪量がゼロの場合を含む。チャネル４８は、第２基材４６が中間層４３側へ窪むように、すなわち第２吸水材４７が中間層４３側へ窪むように形成される。別の実施形態では、第２吸水材４７が第２基材４６側へ窪むように形成される。また、一対のチャネル４８、４８は、一対の熱シール部４３ｃ、４３ｃと厚さ方向Ｔに重なる。別の実施形態では、チャネル４８の少なくとも一部は、熱シール部４３ｃと厚さ方向Ｔに重ならない。なお、別の実施形態では、チャネル４８は、長手方向Ｌではなく又は長手方向Ｌだけでなく、幅方向Ｗに沿って延びる。更に別の実施形態では、チャネル４８は、一本又は三本以上の複数本である。更に別の実施形態では、チャネル４８は、第２吸収層４２ではなく、又は、第２吸収層４２に加えて、第１吸収層４１に形成される。更に別の実施形態では、チャネル４８は、形成されない。
【００４３】
第１吸水材４５及び第２吸水材４７は、上記のように、高吸水性ポリマー（Ｓｕｐｅｒ  Ａｂｓｏｒｂｅｎｔ  Ｐｏｌｙｍｅｒ；ＳＡＰ）を含む。高吸水性ポリマーとしては、水分を吸収し保持できるポリマーであれば特に制限はなく、例えば粒子状又は繊維状の高吸水性ポリマーが挙げられる。第１吸水材４５及び第２吸水材４７の高吸水性ポリマーの坪量は、パンツ型おむつ１に要求される吸収性能に応じて適宜調整され得るが、例えばそれぞれ１０〜５００ｇ／ｍ２が挙げられ、好ましくは１００〜４００ｇ／ｍ２である。第１吸水材４５及び第２吸水材４７の坪量は、一方が他方よりも多くてもよく、同等でもよい。ただし、同等とは、一方が他方の±３０％の範囲をいう。第１吸水材４５及び第２吸水材４７は、パルプ繊維や吸水性繊維のような親水性繊維を更に有してもよい。第１吸水材４５及び第２吸水材４７に対する高吸水性ポリマーの割合は、例えば８０〜１００質量％が挙げられ、好ましくは９０〜１００質量％であり、より好ましくは９５〜１００質量％である。したがって、第１吸水材４５及び第２吸水材４７は高吸水性ポリマーを主成分として含むということができ、吸収体１４はいわゆるＳＡＰシートということができる。ただし、吸収体１４（第１吸水材４５及び第２吸水材４７だけでなく、接着剤、第１基材４４、中間層４３及び第２基材４６を含む）に対する高吸水性ポリマーの割合としては、例えば４０〜８０質量％が挙げられ、好ましくは５０〜８０質量％であり、より好ましくは６０〜８０質量％である。本実施形態では、第１吸水材４５及び第２吸水材４７は、高吸水性ポリマーのみで構成され、親水性繊維を含まない。別の実施の形態では、第１吸水材４５及び第２吸水材４７は、高吸水性ポリマーの他に、パルプ繊維及び／又は吸水性繊維を含む。
【００４４】
高吸水性ポリマーとしては、例えば、デンプン系、セルロース系、合成ポリマー系の高分子吸収剤が挙げられる。デンプン系又はセルロース系の高吸水性ポリマーとしては、例えば、デンプン−アクリル酸（塩）グラフト共重合体、デンプン−アクリロニトリル共重合体のケン化物、ナトリウムカルボキシメチルセルロースの架橋物が挙げられる。合成ポリマー系の高吸水性ポリマーとしては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等が挙げられる。本実施の形態では、ポリアクリル酸塩系（特に、ポリアクリル酸ナトリウム系）の高吸水性ポリマーが好ましい。また、本実施の形態では、吸収体１４において、高吸水性ポリマーの９０〜１００質量％が１５０〜５００μｍの粒径を有する高吸水性ポリマー粒子から構成されることが好ましい。このような粒径分布を有する高吸水性ポリマー粒子は、粒径が小さく均一であるので、接着剤に保持されやすい。高吸水性ポリマー粒子の粒径は、ＪＩＳ  Ｒ  ６００２：１９９８に記載のふるい分け試験方法に準拠して測定される。
【００４５】
接着剤としては、高吸水性ポリマーを固定できる接着剤であれば特に限定はなく、例えばホットメルト接着剤が挙げられる。接着剤の塗布のパターンとしては、特に制限はないが、例えば連続的又は間欠的なオメガパターン、スパイラルパターン、ラインパターンが挙げられる。接着剤の坪量は、吸収体１４の液体吸収性が著しく低下しないように適宜調整され得るが、例えば各層ごとに３〜５０ｇ／ｍ２が挙げられる。ただし、各層とは、第１吸水材４５と第１基材４４との間の接着剤の層、第１吸水材４５と中間層４３との間の接着剤の層、第２吸水材４７と第２基材４６との間の接着剤の層、第２吸水材４７と中間層４３との間の接着剤の層である。
【００４６】
第１基材４４としては、液透過性を有するシートであれば特に制限はない。第１基材４４としては、例えば液透過性の不織布、親水性の不織布、それらの積層不織布が挙げられ、中でも透水性が高い不織布が好ましい。例えば、ポリエチレン（ＰＥ）、ポリプロピレン（ＰＰ）のようなポリオレフィン繊維、ポリエチレンテレフタレート（ＰＥＴ）、ポリトリメチレンテレフタレート（ＰＴＴ）、ポリエチレンナフタレート（ＰＥＮ）のようなポリエステル繊維、又はそれらの組み合わせから形成されるスパンボンド不織布やエアスルー不織布が挙げられる。これらの繊維は公知の方法で親水化処理されていることが好ましい。あるいは、例えば、パルプ繊維やレーヨン繊維のような親水性繊維を親水性バインダで被覆したエアレイド不織布や、上記の親水性繊維と上記の合成繊維とを組み合わせたスパンレース不織布が挙げられる。本実施の形態では、液透過性、液保持性を有する、パルプ繊維を親水性バインダで被覆したエアレイド不織布を用いる。なお、第１基材４４として、上記の不織布のうちの一種類又は複数の種類の不織布を複数層、積層してもよい。第１基材４４の坪量は、例えば１０〜１００ｇ／ｍ２が挙げられ、好ましくは２０〜８０ｇ／ｍ２である。第１基材４４の厚さは、例えば０．１〜５ｍｍが挙げられ、好ましくは０．１５〜３ｍｍである。
【００４７】
第２基材４６としては、保水性及び液拡散性を有するシートであれば特に制限はない。第２基材４６としては、例えば、ポリアミド繊維のような合成繊維、レーヨン繊維やアセテート繊維のような再生繊維、綿、絹、麻、パルプ（セルロース）繊維のような天然繊維、又はそれらの組み合わせから形成される不織布が挙げられる。具体的には、例えば、ナイロンを含むスパンボンド不織布や、レーヨン繊維及び／又はパルプ繊維を含むスパンレース不織布が挙げられる。レーヨン繊維及び／又はパルプ繊維を含むスパンレース不織布には、ポリオレフィン繊維及び／又はポリエステル繊維を含んでいてもよい。本実施の形態では、液保持性、液拡散性を有する、レーヨン繊維及びパルプ繊維を含むスパンレース不織布を用いる。なお、第２基材４６として、上記の不織布のうちの一種類又は複数の種類の不織布を複数層、積層してもよい。第２基材４６の坪量は、例えば１０〜２００ｇ／ｍ２が挙げられ、好ましくは３５〜１５０ｇ／ｍ２である。第２基材４６の厚さは、例えば０．１〜５ｍｍが挙げられ、好ましくは０．１５〜３ｍｍである。
【００４８】
中間層４３としては液透過性を有するシートであれば特に制限はない。中間層４３としては、例えば第１基材４４と同様のシートを用いることができる。中間層４３の坪量は、例えば１０〜１００ｇ／ｍ２が挙げられ、好ましくは１５〜８０ｇ／ｍ２である。中間層４３の厚さは、例えば０．１〜５ｍｍが挙げられ、好ましくは０．１５〜３ｍｍである。
【００４９】
本実施形態では、図３に示すように、吸収体１４は、長手方向Ｌに沿って並んだ、背側領域ＢＡと、腹側領域ＦＡと、股間領域ＭＡと、を備える。ただし、背側領域ＢＡは、吸収体１４における背側部３と厚さ方向Ｔに重なる領域である。また、腹側領域ＦＡは、吸収体１４における腹側部２と厚さ方向Ｔに重なる領域である。股間領域ＭＡは、吸収体１４における背側領域ＢＡと腹側領域ＦＡとの間に位置する領域、すなわち股間部４と厚さ方向Ｔに重なる領域である。したがって、吸収体１４は、長手方向Ｌに沿って、背側部３と重なる背側領域ＢＡと、腹側部２と重なる腹側領域ＦＡと、股間部４と重なる股間領域ＭＡと、に区画される。
【００５０】
本実施形態では、また、吸収体１４は、高坪量域１４ａと、低坪量域１４ｂ、非配置域１４ｃと、を含む。高坪量域１４ａは、高吸水性ポリマーの坪量が高い領域であり、第１吸収層４１と第２吸収層４２とが厚さ方向Ｔに重なった領域である。高坪量域１４ａと低坪量域１４ｂとの境界は、例えば第１吸収層４１の外縁とする。低坪量域１４ｂは、高吸水性ポリマーの坪量が低い領域であり、厚さ方向Ｔに第１吸収層４１が存在せず、第２吸収層４２のみ存在する領域である。低坪量域１４ｂと非配置域１４ｃとの境界は、例えば第２吸収層の外縁とする。非配置域１４ｃは、高吸水性ポリマーを含まない領域であり、厚さ方向Ｔに第１吸収層４１及び第２吸収層４２が存在しない領域である。ただし、高吸水性ポリマーを含まないとは、高吸水性ポリマーは存在するがその坪量が非常に少ない場合を含む。「非常に少ない」とは、高吸水性ポリマーの坪量が高坪量域１４ａの高吸水性ポリマーの坪量の５％以下の場合をいう。高坪量域１４ａ、低坪量域１４ｂ及び非配置域１４ｃは、略矩形形状を有する。ただし、その形状は特に限定されるものではなく、例えば、短辺が円弧状に突出した長方形、角丸長方形、楕円、砂時計が挙げられる。また、平面視で、長手方向Ｌ及び幅方向Ｗにおいて、低坪量域１４ｂは高坪量域１４ａの周囲を略枠状に囲む（少なくとも三方を囲む）領域であり、低坪量域１４ｂの外寸は例えば高坪量域１４ａの外寸より５〜２５％大きい。非配置域１４ｃは低坪量域１４ｂの周囲を略枠状に囲む領域であり、非配置域１４ｃの外寸は例えば低坪量域１４ｂの外寸のより３〜１５％大きい。また、低坪量域１４ｂの坪量は高坪量域１４ａの坪量の、例えば４０〜６０％が挙げられ、非配置域１４ｃの坪量は高坪量域１４ａの坪量の、例えば０〜５％が挙げられる。なお、吸収体１４が第１吸収層４１と第２吸収層４２とを有さない一層の場合など、二つの領域に区別し難い場合、高坪量域は、吸水材（接着剤を含む）の厚さが、最高値から最高値の５０％までの範囲の領域とする。低坪量部は、吸水材（接着剤を含む）の厚さが、最高値の５０％から５％までの範囲の領域とし、非配置域は、吸水材（接着剤を含む）の厚さが、最高値の５％から０％までの範囲の領域とする。なお、厚さは、算術平均高さ（Ｒａ：ＪＩＳ  Ｂ  ０６０１−２００１）とする。
【００５１】
したがって、吸収体１４では、背側領域ＢＡは、高坪量域１４ａとしての背側高坪量域ＢＡａと、低坪量域１４ｂとしての背側低坪量域ＢＡｂと、非配置域１４ｃとしての背側非配置域ＢＡｃと、を含む。また、吸収体１４では、腹側領域ＦＡは、高坪量域１４ａとしての腹側高坪量域ＦＡａと、非配置域１４ｃとしての腹側非配置域ＦＡｃと、を含む。なお、股間領域ＭＡは、高坪量域１４ａのみを有している。したがって、背側高坪量域ＢＡａ及び腹側高坪量域ＦＡａの高吸水性ポリマーの坪量は、股間領域ＭＡの高吸水性ポリマーの坪量と同等である。なお、「同等」とは、一方が他方の０．７〜１．３倍（±３０％）の範囲にあることをいう。別の実施形態では、腹側領域ＦＡは、腹側高坪量域ＦＡａ及び腹側非配置域ＦＡｃの他に、低坪量域１４ｂとしての腹側低坪量域ＦＡｂを含む。
【００５２】
ここで、第２吸収層４２は、平面視で、長手方向Ｌの後側の端部に、第１吸収層４１の端縁よりも外側に突出した突出部を含む。その突出部は背側低坪量域ＢＡｂを含んでおり、本実施形態では、突出部は背側低坪量域ＢＡｂと同じである。第２吸収層４２は、中間層４３に覆われており、したがって、突出部、すなわち背側低坪量域ＢＡｂは、肌側を中間層４３及び第１基材４４で覆われている。更に、本実施形態では、第２吸収層４２は、平面視で、幅方向Ｌの両側の端部に、第１吸収層４１の端縁よりも外側に突出した幅方向突出部を含む。その幅方向突出部は、肌側を中間層４３及び第１基材４４で覆われている。別の実施形態では、第２吸収層４２は、平面視で、長手方向Ｌの前側の端部に、第１吸収層４１の端縁よりも外側に突出した他の突出部を含む。その他の突出部は腹側低坪量域を含む。更に別の実施形態では、突出部、すなわち背側低坪量域ＢＡｂは、肌側を中間層４３及び第１基材４４のいずれか一方で覆われ、他方で覆われない。更に別の実施形態では、第２吸収層４２は、平面視で、幅方向Ｗの両側の端部に、第１吸収層４１の端縁よりも外側に突出した幅方向突出部を含まない。
【００５３】
本実施形態では、吸収体１４では、長手方向Ｌにおいて、背側高坪量域ＢＡａの長さをｄａ２（又はａ）とし、背側低坪量域ＢＡｂの長さをｄｂ２（又はｂ）とし、背側非配置域ＢＡｃの長さをｄｃ２（又はｃ）とすると、ｄｂ２＞ｄｃ２＞ｄａ２（又はｂ＞ｃ＞ａ）、である。すなわち、背側領域ＢＡでは、背側低坪量域ＢＡｂの長さを相対的に長くして、全体として高吸水性ポリマーの坪量を低く抑えつつ、長手方向Ｌの後側の部分まで高吸水性ポリマーを配置している。
【００５４】
本実施形態では、吸収体１４では、長手方向Ｌにおいて、腹側高坪量域ＦＡａの長さをｄａ１とし、腹側非配置域ＦＡｃの長さをｄｃ１とすると、ｄａ１＞ｄｃ１、である。すなわち、腹側領域ＦＡでは、腹側高坪量域ＦＡａの長さを相対的に長くして、排泄量の多い腹側での高吸水性ポリマーの坪量を高くしている。
【００５５】
本実施形態では、吸収体１４では、長手方向Ｌにおいて、ｄｃ２＞ｄｃ１、である。背側非配置域ＢＡｃの長さを相対的に長くして、排泄量の少ない背側領域ＢＡでの高吸水性ポリマーの使用量を低く抑えつつ、腹側非配置域ＦＡｃの長さを相対的に短くして、排泄量の多い腹側領域ＦＡでの高吸水性ポリマーの坪量を高くしている。
【００５６】
なお、別の実施形態では、吸収体１４では、長手方向Ｌにおいて、ｄａ２＋ｄｂ２＞ｄａ１、である。この場合、背側領域ＢＡにおいて長手方向Ｌに、より後側の部分まで高吸水性ポリマーを配置している。
【００５７】
本実施形態では、腹側高坪量域ＦＡａの高吸水性ポリマーの使用量は、背側高坪量域ＢＡａの高吸水性ポリマーの使用量と背側低坪量域ＢＡｂの高吸水性ポリマーの使用量との合計よりも多い。排泄量の少ない背側領域ＢＡでの高吸水性ポリマーの使用量を低く抑えつつ、排泄量の多い腹側領域ＦＡでの高吸水性ポリマーの使用量を多くしている。
【００５８】
なお、本実施形態では、背側部３と吸収体１４の背側領域ＢＡとの間にプリントフィルム（図示されず）が配置される。プリントフィルムは、背側部３のカバーシート５を介して、外部へ向かって図柄や模様を表示する。
【００５９】
図４は、実施形態に係るパンツ型おむつの背側部３を含む一部を拡大した平面図である。本実施形態では、背側部３は、幅方向Ｗの伸縮性が低い背側低伸縮域３１と、幅方向Ｗの伸縮性が高い一対の背側高伸縮域３２、３２と、を有する。背側低伸縮域３１は、背側部３における、幅方向Ｗの中央部に位置し、長手方向Ｌの前側の端縁から後側に延設される。一対の背側高伸縮域３２、３２は、背側低伸縮域３１の幅方向Ｗの両側に隣接する。背側低伸縮域３１は、幅方向Ｗの所定の引張力に対する伸び率（（伸長後の長さ−元の長さ）／（元の長さ））が、背側高伸縮域３２の幅方向Ｗの伸び率の１／３以下の領域であり、好ましくは１／５以下の領域であり、より好ましくは１／１０以下の領域である。例えば、背側低伸縮域３１は、幅方向Ｗに伸縮する弾性部材が存在しない領域、又は、弾性部材は存在するがその弾性部材は弾性部材としてあまり機能しない（あまり伸縮しない）領域、である。一方、背側高伸縮域３２は、幅方向Ｗに伸縮する弾性部材７ａが存在する領域である。したがって、弾性部材として機能し得る弾性部材７ａが存在する領域と、弾性部材として機能し得る弾性部材が存在しない領域とにより、背側高伸縮域３２と背側低伸縮域３１とが画定される。なお、伸縮性が「低い」とは、伸縮しない場合を含む。なお、各伸縮域の伸縮性は、弾性部材の伸縮性により判断する。
【００６０】
本実施形態では、チャネル４８の長手方向Ｌの後側の部分は、背側低伸縮域３１と厚さ方向Ｔに重なる。そして、平面視で、一対の背側高伸縮域３２、３２の各々における幅方向Ｗの内側の端縁Ｋ１は、吸収体１４における幅方向Ｗの当該背側高伸縮域３２に対向する端縁１４ＥＷとチャネル４８（の幅方向Ｗの端縁４８Ｅ）との間に位置する。端縁Ｋ１は、概ね弾性部材７ａの幅方向Ｗの内側の端縁である。したがって、チャネル４８の長手方向Ｌの後側の部分を含む吸収体１４のうち、幅方向Ｗの中央部は背側低伸縮域３１により幅方向Ｗにほとんど伸長されず、幅方向Ｗの両端部分は一対の背側高伸縮域３２、３２により幅方向Ｗに伸長される。
【００６１】
本実施形態では、平面視で、一対の背側高伸縮域３２、３２の各々における幅方向Ｗの内側の端縁Ｋ１は、吸収体１４における幅方向Ｗの当該背側高伸縮域３２に対向する端縁１４ＥＷよりも、チャネル４８の幅方向Ｗの端縁４８Ｅに近い。したがって、チャネル４８の長手方向Ｌの後側の部分を含む吸収体１４のうち、幅方向Ｗの両端部分は一対の背側高伸縮域３２、３２により幅方向Ｗにより伸長される。
【００６２】
本実施形態では、背側部３は、幅方向Ｗに高い伸縮性を示す他の背側高伸縮域３４を更に有する。他の背側高伸縮域３４は、平面視で、一対の背側高伸縮域３２、３２及び背側低伸縮域３１の長手方向Ｌの後側に隣接する。他の背側高伸縮域３４は、幅方向Ｗの伸び率が、背側高伸縮域３２の幅方向Ｗの伸び率と概ね同じ領域である。他の背側高伸縮域３４は、弾性部材７ｂが存在する領域として画定される。したがって、背側部３の長手方向Ｌの後側の端部は、他の背側高伸縮域３４により装着者の背中に押し付けられ易くなる。
【００６３】
本実施形態では、背側部３では、背側低伸縮域３１における長手方向Ｌの後側の端部３１Ｅは、チャネル４８における長手方向Ｌの後側の端部よりも、長手方向Ｌの後側に位置する。したがって、吸収体１４の長手方向Ｌの後側の端部は、背側低伸縮域３１により、装着者の背中に押し付けられ難くなる。
【００６４】
本実施形態では、固定領域１５と、背側高伸縮域３２の幅方向Ｗの内側の端部とは、厚さ方向Ｔに重なる。したがって、固定領域１５は、背側高伸縮域３２により、少なくとも幅方向Ｗの外側の向きに伸長され易くなる。
【００６５】
本実施形態では、背側部３の背側低伸縮域３１は、平面視で、背側低坪量域ＢＡｂ及び背側高坪量域ＢＡａと重なる。腹側部２の腹側低伸縮域３６は、平面視で、腹側高坪量域ＦＡａと重なる。したがって、各高坪量域や低坪量域が幅方向Ｗに収縮されることを抑制できるので、吸収体１４が収縮することによる吸収性能の低下を抑制できる。
【００６６】
本実施形態では、背側部３の他の背側高伸縮域３４は、吸収体１４における背側低坪量域ＢＡｂよりも長手方向Ｌの外側の領域と重なる。腹側部２の他の腹側高伸縮域３９は、吸収体１４における腹側高坪量域ＦＡａよりも長手方向Ｌの外側の領域と重なる。したがって、他の高伸縮域３４、３９の収縮により、背側部３及び腹側部２の各々における吸収体１４の高／低坪量域よりも長手方向Ｌの外側の部分をより幅方向に引っ張って、当該部分をより肌側に押し付けることができる。
【００６７】
図５は、実施形態に係るパンツ型おむつの腹側部２を含む一部を拡大した平面図である。本実施形態では、腹側部２は背側部３と概ね同じである。すなわち、腹側部２は、幅方向Ｗの伸縮性が低い腹側低伸縮域３６と、幅方向Ｗの伸縮性が高い一対の腹側高伸縮域３７、３７と、を有する。腹側低伸縮域３６は、腹側部２における、幅方向Ｗの中央部に位置し、長手方向Ｌの後側の端縁から前側に延設される。一対の腹側高伸縮域３７、３７は、腹側低伸縮域３６の幅方向Ｗの両側に隣接する。腹側低伸縮域３６は、幅方向Ｗの所定の引張力に対する伸び率（（伸長後の長さ−元の長さ）／（元の長さ））が、腹側高伸縮域３７の幅方向Ｗの伸び率の１／３以下の領域であり、好ましくは１／５以下の領域であり、より好ましくは１／１０以下の領域である。例えば、腹側低伸縮域３６は、幅方向Ｗに伸縮する弾性部材が存在しない領域、又は、弾性部材は存在するがその弾性部材は弾性部材としてあまり機能しない（あまり伸縮しない）領域、である。一方、腹側高伸縮域３７は、幅方向Ｗに伸縮する弾性部材６ａが存在する領域である。したがって、弾性部材として機能し得る弾性部材６ａが存在する領域と、弾性部材として機能し得る弾性部材が存在しない領域とにより、腹側高伸縮域３７と腹側低伸縮域３６とが画定される。なお、各伸縮域の伸縮性は、弾性部材の伸縮性により判断する。
【００６８】
本実施形態では、チャネル４８の長手方向Ｌの前側の部分は、腹側低伸縮域３６と厚さ方向Ｔに重なる。そして、平面視で、一対の腹側高伸縮域３７、３７の各々における幅方向Ｗの内側の端縁Ｋ２は、吸収体１４における幅方向Ｗの当該腹側高伸縮域３７に対向する端縁１４ＥＷとチャネル４８（の幅方向Ｗの端縁４８Ｅ）との間に位置する。端縁Ｋ２は、概ね弾性部材６ａの幅方向Ｗの内側の端縁である。したがって、チャネル４８の長手方向Ｌの前側の部分を含む吸収体１４のうち、幅方向Ｗの中央部は腹側低伸縮域３６により幅方向Ｗにほとんど伸縮されず、幅方向Ｗの両端部分は一対の腹側高伸縮域３７、３７により幅方向Ｗに伸長される。
【００６９】
本実施形態では、平面視で、一対の腹側高伸縮域３７、３７における幅方向Ｗの内側の端縁Ｋ２、Ｋ２の間の距離は、一対の背側高伸縮域３２、３２における幅方向Ｗの内側の端縁Ｋ１、Ｋ１の間の距離と同等である。別の実施形態では、平面視で、一対の腹側高伸縮域３７、３７における幅方向Ｗの内側の端縁Ｋ２、Ｋ２の間の距離は、一対の背側高伸縮域３２、３２における幅方向Ｗの内側の端縁Ｋ１、Ｋ１の間の距離よりも近い。その場合、吸収体１４の長手方向Ｌの前側の部分における、幅方向Ｗの両端部分は一対の腹側高伸縮域３７、３７により幅方向Ｗにより伸長される。
【００７０】
本実施形態では、腹側部２は、幅方向Ｗに高い伸縮性を示す他の腹側高伸縮域３９を更に有する。他の腹側高伸縮域３９は、一対の腹側高伸縮域３７、３７及び腹側低伸縮域３６の長手方向Ｌの前側に隣接する。他の腹側高伸縮域３９は、幅方向Ｗの弾性率が、腹側高伸縮域３７の幅方向Ｗの弾性率と概ね同じ領域である。他の腹側高伸縮域３９は、弾性部材６ｂが存在する領域として画定される。したがって、腹側部２の長手方向Ｌの前側の端部は、他の腹側高伸縮域３９により、装着者の腹部に押し付けられ易くなる。
【００７１】
次に、吸収体１４の製造方法について説明する。
まず、第２基材４６用シートを長手方向Ｌに移動させつつ、ホットメルト接着剤を第２基材４６用シートの上に塗布する。次いで、高吸水性ポリマー供給装置から高吸水性ポリマーを、ホットメルト接着剤を塗布された第２基材４６用シートにおける幅方向Ｗの両端部分及び中央部分の上に、それぞれ長手方向Ｌに沿って散布する。このとき、両端部分と中央部分との間の領域（チャネルに相当）には少量の高吸水性ポリマーが移行する。次いで、両面にホットメルト接着剤が塗布された中間層４３用シートを、第２基材４６用シート上の高吸水性ポリマーの上に積層する。次いで、その積層物を長手方向Ｌに移動させつつ、他の高吸水性ポリマー供給装置から高吸水性ポリマーを、ホットメルト接着剤を塗布された中間層４３用シートにおける幅方向Ｗの中央部分の上に長手方向Ｌに沿って散布する。次いで、中間層４３用シート上の高吸水性ポリマーの上に、ホットメルト接着剤を塗布した第１基材４４用シートを、ホットメルト接着剤を高吸水性ポリマー側にして積層する。そして、第２基材４６用シートにおける幅方向Ｗの両側部を、第１基材４４用シートにおける幅方向Ｗの両側部の上に折り返して、積層物を得る。その後、一対のプレスロールに積層物を通過させる、すなわちプレスすることにより、積層物の厚さを調整して、吸収体１４を得る。
【００７２】
次に、上記吸収体１４を用いたパンツ型おむつの製造方法について説明する。
上記のように作製した吸収体１４の上面（第１基材４４の表面）に、液透過性の表面シート１２を貼り付け、吸収体１４の下面（第２基材４６の表面）に液不透過性の裏面シート１３を貼り付けて、積層体を得る。次いで、防漏壁１６付きサイドシート１７を、積層体の幅方向Ｗの両側に取り付け、吸収性本体１０を得る。その後、吸収性本体１０をカバーシート５（弾性部材６、７、８を含む）上に貼り付け、腹側部２の幅方向Ｗの両端部２ａ、２ａと背側部３の幅方向Ｗの両端部３ａ、３ａとを接合する。それにより、パンツ型おむつ１が製造される。
【００７３】
実施形態に係るパンツ型おむつの効果を説明する。一般的な、パンツ型おむつでは、高吸水性ポリマーを平面状に概ね一様に配置した吸収体を用いることが通常である。その場合、吸収体の股間領域には、排泄された液体（例示：尿）を漏らさないような所定坪量の高吸水性ポリマーが配置される。それに対応して、吸収体における股間領域以外の領域、すなわち腹側領域及び背側領域についても、その所定坪量の高吸水性ポリマーが配置されることになる。吸収体の背側領域及び腹側領域は、パンツ型おむつの背側部及び腹側部により装着者の肌に密着される。そのとき、背側領域及び腹側領域が股間領域と同等の高吸水性ポリマーの所定坪量であると、すなわち同等の厚さであると、厚過ぎて装着者の背側及び腹側の肌面に食い込み易くなる。そうなると、装着者が装着時に吸収体に違和感を覚え易く、よってフィット性が低下するおそれがある。そうかといって、吸収体を全体に薄くすると、少なくとも股間領域の吸収性能が低下し易くなる。そうなると、幅方向の端部や長手方向の端部からの漏れなどがおきるおそれがある。
【００７４】
一方、本実施形態のパンツ型おむつ１では、吸収体１４において、股間領域ＭＡの高吸水性ポリマーの坪量が相対的に高く、背側領域ＢＡ及び腹側領域ＦＡの少なくとも一方の低坪量域の吸水性ポリマーの坪量が相対的に低い。したがって、液体の吸収が必要な股間領域ＭＡには高吸水性ポリマーが相対的に多く配置されているので、吸収体１４が吸収性能を確保して液体（例示：尿）を漏らすことなく確実に吸収することができる。一方、液体の吸収がそれほど必要でない腹側領域ＦＡ及び背側領域ＢＡの少なくとも一方の低坪量域には高吸水性ポリマーを少なく配置することで、当該領域を薄くすることができる。そのため、当該領域に対応する腹側部２又は背側部３が装着者の肌面に密着されるとき、吸収体１４を肌面に食い込み難くできる。それにより、装着者が吸収体に違和感を覚え難くなり、フィット性を改善することができる。したがって、高吸水性ポリマーを含むパンツ型おむつにおいて、吸収性能を確保しながら、フィット性を改善することが可能となる。
【００７５】
本実施形態では好ましい態様として、股間領域ＭＡと背側低坪量域ＢＡｂとの間に、高吸水性ポリマーの坪量が相対的に高い背側高坪量域ＢＡａを有する。それゆえ、背側低坪量域ＢＡｂへ液体が到達する前に、背側高坪量域ＢＡａでより多くの液体を補足し易くできる。それにより、高吸水性ポリマーの坪量の低い背側低坪量域ＢＡｂへ移行・拡散する液体を低減でき、パンツ型おむつ１の長手方向Ｌの背側の端部からの液体の漏れを抑制でき、吸収性能をより確実に確保することができる。
【００７６】
本実施形態では好ましい態様として、背側低坪量域ＢＡｂよりも長手方向Ｌの外側に、高吸水性ポリマーを含まない（坪量ゼロだけでなく背側高坪量域ＢＡａの坪量の５％以下の場合を含む）背側非配置域ＢＡｃを有する。すなわち、背側非配置域ＢＡｃに高吸水性ポリマーをより少なく配置することで、背側非配置域ＢＡｃを薄くできるので、背側非配置域ＢＡｃに対応する位置の背側部３が装着者の肌面により密着でき、吸収体（の背側非配置域ＢＡｃ）が肌面に食い込むことを難くできる。更に、液体の吸収にほとんど寄与しない高吸水性ポリマーを削減できる。それにより、吸収性能を確保しつつ、フィット性をより改善することができると共に、高吸水性ポリマーを効率的に使用できる。
【００７７】
本実施形態では好ましい態様として、背側高坪量域ＢＡａの長さａと、背側低坪量域ＢＡｂの長さｂと、背側非配置域ＢＡｃの長さｃと、の間の関係が、ｂ＞ｃ＞ａ、である。したがって、長手方向Ｌにおいて、背側高坪量域ＢＡａ、すなわち厚さが最も厚い領域の長さ（ａ）を最も短くすることで、背側部３が肌面に密着したときの肌面への食い込みを狭い範囲に抑えることができる。それにより、装着者が装着時に違和感をより覚え難くできる。また、背側低坪量域ＢＡｂ、すなわち厚さが中間の領域の長さ（ｂ）を最も長くすることで、液体をより確実に補足し易くできると共に、肌面への食い込みをより少なく抑えることができる。それにより、吸収性能をより確実に確保しつつ、フィット性をより改善できる。
【００７８】
本実施形態では好ましい態様として、長手方向Ｌにおいて、腹側領域ＦＡにおける高吸水性ポリマーの坪量が相対的に低い腹側非配置域ＦＡｃの長さを、背側領域ＢＡにおける高吸水性ポリマーの坪量が相対的に低い背側非配置域ＢＡｃの長さよりも短くしている。それにより、背側よりも液体の拡散が多い腹側において、液体を吸収可能な容量を多く確保できる。それにより、吸収性能を確保して液体を漏らすことなく確実に吸収することができる。
【００７９】
本実施形態では好ましい態様として、腹側領域ＦＡにおいて、高吸水性ポリマーの坪量が低い低坪量域を有さず、高吸水性ポリマーの坪量が高い腹側高坪量域ＦＡａを有するようにしている。それにより、背側よりも液体の拡散が多い腹側において、液体を吸収可能な容量を多く確保できる。それゆえ、吸収性能を確保して液体を漏らすことなく確実に吸収することができる。
【００８０】
本実施形態では好ましい態様として、腹側高坪量域ＦＡａが、背側高坪量域ＢＡａと背側低坪量域ＢＡｂとを合わせた領域よりも、高吸水性ポリマーの使用量が多い。そのため、背側よりも液体の拡散が多い腹側において、液体を吸収可能な容量を多く確保できる。それゆえ、吸収性能を確保して液体を漏らすことなく確実に吸収することができる。
【００８１】
本実施形態では好ましい態様として、背側高坪量域ＢＡａと背側低坪量域ＢＡｂとを合わせた長さが腹側高坪量域ＦＡａの長さよりも長い。そのため、腹側よりも液体の伝い漏れの生じ易い背側において、液体を補足可能な領域を背側に長く確保することができる。それゆえ、吸収性能を広範囲に拡張して液体を漏らすことなく確実に吸収することができる。
【００８２】
本実施形態では好ましい態様として、背側部３の低伸縮域３１が、背側低坪量域ＢＡｂ及び背側高坪量域ＢＡａと重なり、腹側部２の低伸縮域３６が、腹側高坪量域ＦＡａと重なる。それにより、それら背側高坪量域ＢＡａ、腹側高坪量域ＦＡａや背側低坪量域ＢＡｂが幅方向Ｗに収縮されることを抑制できるので、吸収体１４が収縮することによる吸収性能の低下を抑制できる。
【００８３】
本実施形態では好ましい態様として、背側部３の他の高伸縮域３４が、吸収体１４における背側低坪量域ＢＡｂよりも長手方向Ｌの外側の領域と重なり、腹側部２の他の高伸縮域３９が、吸収体１４における腹側高坪量域ＦＡａよりも長手方向Ｌの外側の領域と重なる。それにより、他の高伸縮域３４、３９の収縮により、背側部３及び腹側部２の各々における吸収体１４の低坪量域ＢＡｂ及び高坪量域ＦＡａよりも長手方向Ｌの外側の部分をより幅方向Ｗに引っ張って、当該部分をより肌側に押し付けることができる。それにより、吸収体１４を長手方向Ｌの両端部において肌面によりフィットさせることができる。
【００８４】
本実施形態では好ましい態様として、吸収体１４が第１吸収層４１と第２吸収層４２とが積層された二層構造を有し、低坪量域（例示：背側低坪量域ＢＡｂ）が、平面視で、第２吸収層４２の端部のうちの第１吸収層４１の端縁よりも外側に突出した突出部に含まれる。そのため、低坪量域の厚さを確実に薄くすることができる。それにより、低坪量域に対応する腹側部２又は背側部３が装着者の肌面に密着されるとき、低坪量部を肌面に食い込み難くできる。それにより、装着者が違和感を覚え難くなり、フィット性を改善することができる。
【００８５】
本実施形態では好ましい態様として、第２吸収層４２の肌側に、不織布の中間層４３を備え、低坪量域（例示：背側低坪量域ＢＡｂ）の肌側の面は不織布（中間層４３）で覆われている。そのため、背側部３が肌面に密着したとき、吸収体１４の低坪量域が肌面へ押し付けられても、低坪量域の肌側の面が不織布で覆われているので、高吸水性ポリマーによる凹凸を感じず、装着時の違和感を覚え難くすることができる。それにより、フィット性の低下を抑制することができる。
【００８６】
本実施形態では好ましい態様として、背側低坪量部を有する、したがって相対的に薄い背側領域と、背側部と、の間にプリントフィルムが配置されている。そのため、装着時に背側部と肌面との間に挟持されるもの（背側領域＋プリントフィルム）全体の厚さを薄くすることができる。それにより、背側部が肌面に密着したとき、プリントフィルムの厚さが感じられず、装着時の違和感を覚え難くすることができる。それにより、フィット性の低下を抑制することができる。
【００８７】
本発明のパンツ型おむつやその吸収体は、上述した各実施形態に制限されることなく、本発明の目的、趣旨を逸脱しない範囲内において、各実施形態同士を組合せることや公知技術を適用すること等が可能である。
【符号の説明】
【００８８】
１    パンツ型おむつ
２    腹側部（腹側ウエストベルト）
３    背側部（背側ウエストベルト）
１０    吸収性本体
１４    吸収体
ＢＡ    背側領域
ＦＡ    腹側領域
ＭＡ    股間領域
【図１】
2020108749.tif 000003
【図２】
2020108749.tif 000004
【図３】
2020108749.tif 000005
【図４】
2020108749.tif 000006
【図５】
2020108749.tif 000007